(57)【要約】【課題】空気調和機の吹出しエアーで、床面又は天井面を効率良く冷却又は加熱するふく射冷暖房システムを提供する。【解決手段】空気調和機６で生成した冷風や温風を、気流変換器１２を複数設置した床下送気空間や天井送気空間に吹出して、水平気流の冷風や温風を気流方向変換器１２で垂直気流に変換し、床下地ボード３の下面や天井材１４の上面に衝突させて噴流し、放射状に拡散させ、床仕上材４や天井材１４を効率良く冷却又は加熱し、床仕上材４や天井材１４から生じる冷ふく射や温ふく射熱の効果を高めて床及び天井ふく射冷暖房を行う。さらに、床仕上材や天井材を加熱または冷却した後の冷風や温風は、居室内に吹出されて、居室の空気を冷却又は加熱し、再び空気調和機で循環利用される。【選択図】　　図１
2004132680.tif 000002
【特許請求の範囲】
【請求項１】
空気調和器で生成された冷風や温風の空調空気を居室等の床下空間又は天井空間に吹出して、床面や天井面にそって水平に流しながら、その水平気流を垂直気流に変換し、床材の下面や天井材の上面に垂直に噴流して、床材や天井材を加熱又は冷却するための金属や樹脂なとで製作された気流方向変換器
【請求項２】
空気調和器で生成された冷風や温風の空調空気を居室等の床下空間又は天井空間に吹出して、床面や天井面にそって水平に流しながら、その水平気流を垂直気流に変換するための気流方向変換器を床下空間又は天井空間に複数設置し、気流方向変換器から吹出す垂直気流を床材の下面や天井材の上面に垂直に噴流し、床材や天井材を効率良く加熱又は冷却して、床材や天井材から生じる冷ふく射や温ふく射熱でふく射冷暖房を行い、床材や天井材を加熱または冷却した後の冷風や温風は、吹出し口や天井吹出し口から居室に吹出されて、居室の空気を冷却又は加熱し、再び空気調和機で冷却又は加熱されて循環利用する空調システム。
【発明の詳細な説明】
【０００１】
【発明の属する技術分野】
この発明は、空気調和器で生成された冷風や温風の空調空気を居室等の床下空間又は天井空間に吹出して、床面や天井面にそって水平に流しながら、床材や天井材を加熱または冷却して、床材や天井材から生じる冷ふく射や温ふく射熱の効果を高めて居室のふく射冷暖房を行う。
【０００２】
【従来の技術】
従来、この種のシステムとしては図４に示すように、断熱材２を貼ったコンクリートスラブ１と、床下地ボード３と床仕上材４からなる床面との間に床下送気空間５を設け、空気調和機６で生成された冷風や温風を送気空間５に送気して、床仕上材４を冷却又は加熱し、床仕上材４から得られる冷ふく射や温ふく射熱で床ふく射冷暖房を行い、吹出し口７から居室Ｒに吹出された空調空気により、居室Ｒの空気を冷却又は加熱して冷暖房を行うシステムのものが知られている。
【０００３】
【発明が解決しようとする課題】
しかしながら、上記のように床下送気空間５に空気調和機６で生成された冷風や温風を送気して通過させただけでは、床下地ボード３と冷風や温風との間の境膜で表面熱伝達抵抗が大きくなり、冷風や温風の熱が効率良く床下地ボード３に伝達せずに、床仕上材４の加熱温度が低く、また冷却温度が高くなり、床仕上材４から得られる冷ふく射や温ふく射熱による冷暖房効果が低いという課題があった。
【０００４】
この発明はこのような点に着目してなされたもので、その目的とするところは、簡単な構成で、設備コストを抑え、しかも一般的な空気調和機から吹出される空気温度でも、十分に床面を効率良く冷却又は加熱することができ、床仕上材から得られる冷ふく射や温ふく射熱による冷暖房効果が大きく、ランニングコストを低減し、快適性のある居室等の冷暖房を行うことができるシステムを提供することにある。
【０００５】
【課題を解決するための手段】
本発明は、空調機で生成した冷風や温風を送気する床下送気空間や天井送気空間に、気流方向変換器を複数設置し、床下送気空間内では、床下送気空間内の冷風や温風の水平気流を気流方向変換機で垂直気流に変換し、床下地ボードの下面に垂直に噴流させて冷風や温風を放射状に拡散させ、床仕上材を効率良く冷却又は加熱して、床仕上材から生じる冷ふく射や温ふく射熱の効果を高めて、床ふく射冷暖房を行う。
また、天井送気空間内では、天井送気空間内の冷風や温風の水平気流を気流方向変換機で垂直気流に変換し、天井材の上面に垂直に噴流させて冷風や温風を放射状に拡散させ、天井材を効率良く冷却又は加熱して、天井材から生じる冷ふく射や温ふく射熱の効果を高めて、天井ふく射冷暖房を行う。
さらに、床仕上材や天井材を加熱または冷却した後の冷風や温風は、床下送気空間や天井送気空間を通過して、吹出し口や天井吹出し口から居室に吹出されて、居室の空気を冷却又は加熱し、再び空調機で冷却又は加熱されて循環利用されるという手段を採用して、上記課題を解決した。
【発明の実施の形態】
以下、この発明の実施の形態について図面を参照して説明する。
【０００６】
このような目的を達成するために、図４に示すような、金属や樹脂などで製作された円筒形の器８の下面に、プレート９を固定し、側面全体の４分の１程度に開口部１０を設け、開口部１０の部材と側面部材の境界を折り曲げて作った吸気ガイド１１からなる気流方向変換器１２を、図１に示すような、断熱材２を貼ったコンクリートスラブ１と、床下地ボード３と床仕上材４からなる床面との間の床下送気空間５に、気流方向変換器１２を複数設置する。ただし、気流方向変換器１２の開口部１０が、空気調和機６で生成されて送気ダクト１３を通過して床下送気空間５に送られた水平気流の冷風や温風と対向するように気流方向変換器１２を設置し、吸気ガイド１１に誘導された水平気流の温風や冷風を、開口部１０を通過して、気流方向変換器１２で垂直気流に変換し、床下地ボード３の下面に衝突させて噴流し、床下地ボード３の下面で冷風や温風を放射状に拡散させ、床仕上材４を効率良く冷却又は加熱して、床仕上材から生じる冷ふく射や温ふく射熱の効果を高めて、床ふく射冷暖房を行う。尚、床材を加熱または冷却した後の冷風や温風は、床下送気空間５を通過して、吹出し口７から居室Ｒに吹出されて、居室Ｒの空気を冷却又は加熱し、再び空気調和機６で冷却又は加熱されて循環利用される。
【０００７】
また、図２に示すように、空気調和機６で生成されて、天井送気空間１５に送られた水平気流の冷風や温風と、気流方向変換器１２の開口部１０が対向するように気流方向変換器１２を複数設置し、吸気ガイド１１に誘導された水平気流の温風や冷風を、開口部１０を通過して、気流方向変換器１２で垂直気流に変換し、て、天井材１４から生じる冷ふく射や温ふく射熱の効果を高めて、天井ふく射冷暖房を行う。尚、天井材を加熱または冷却した後の冷風や温風は、天井送気空間１５を通過して、天井吹出し口１６から居室Ｒに吹出されて、居室Ｒの空気を冷却又は加熱し、再び空調機６で冷却又は加熱されて循環利用される。
【０００８】
【発明の効果】
以上説明したようにこの発明によって、空気調和機で生成した冷風や温風を送気する床下送気空間や天井送気空間に、気流方向変換器を複数設置し、床下送気空間内では、床下送気空間内の冷風や温風の水平気流を気流方向変換機で垂直気流に変換し、床下地ボード下面に衝突させて噴流し、床下地ボードの下面で冷風や温風を放射状に拡散させ、床仕上材を効率良く冷却又は加熱し、また、天井送気空間では、天井送気空間内の冷風や温風の水平気流を気流方向変換機で垂直気流に変換し、天井材の上面に衝突させて噴流し、天井材上面で冷風や温風を放射状に拡散させ、天井材を効率良く冷却又は加熱し、床仕上材や天井材から生じる冷ふく射や温ふく射熱の効果を高めて、床ふく射冷暖房を行い。さらに、床仕上材や天井材を加熱または冷却した後の冷風や温風は、居室内に吹出されて、居室の空気を冷却又は加熱し、再び空気調和機で循環利用されるという手段を採用したことで、冷暖房効率が高くなり、ランニングコストや設備建設コストが安価で、しかも設置スペースが小さくなることから、従来の建物に比べ、階高の低い建物でも居室の天井高を高くすることができ、快適な居住空間が得られ建設コストを抑えることができる。
【図面の簡単な説明】
【図１】この発明の実施形態に係る空調空気式床ふく射冷暖房システムを示す構成図である。
【図２】この発明の実施形態に係る空調空気式天井ふく射冷暖房システムを示す構成図である。
【図３】この発明の実施形態に係る気流方向変換器の斜視図である。
【図４】従来例を示す空調空気式床ふく射冷暖房システムを示す構成図である。
【符号の説明】
Ｒ　居室
１　コンクリートスラブ
２　断熱材
３　床下地ボード
４　床仕上材
５　床下送気空間
６　空気調和機
７　吹出し口
８　円筒形の器
９　プレート
１０　開口部
１１　吸気ガイド
１２　気流変換器
１３　送気ダクト
１４　天井材
１５　天井送気空間
１６　天井吹出し口
【図１】
2004132680.tif 000003
【図２】
2004132680.tif 000004
【図３】
2004132680.tif 000005
【図４】
2004132680.tif 000006